(57)【要約】【課題】表示画面が限られているモバイル電子機器でも、電子新聞の記事を読みやすいように電子新聞の紙面を変えて制作する新聞紙面制作装置及び新聞紙面制作方法を提供すること。【解決手段】一実施形態は、新聞記事の素材を収集して記事を作成し、紙面を構成する紙面構成手段と、この紙面構成手段により構成された新聞の記事が、モバイル電子機器の表示に関するレイアウト条件を満たすか否かを検知するレイアウト条件検知手段と、このレイアウト条件検知手段により前記記事が前記レイアウト条件を満たさないことが検知されたとき、満たすように前記記事を変形し位置を移動させる記事変形移動手段と、この記事変形移動手段により変形移動させられた情報を付加情報として生成する付加情報生成手段と、前記記事移動変形手段により変形移動された記事からなる新聞に前記付加情報を付加して前記モバイル電子機器に送信する送信手段とを有することを特徴とする新聞紙面制作装置。【選択図】図１
2013196260.tif 000002
【特許請求の範囲】
【請求項１】
新聞記事の素材を収集して記事を作成し、紙面を構成する紙面構成手段と、
この紙面構成手段により構成された新聞の記事が、モバイル電子機器の表示に関するレイアウト条件を満たすか否かを検知するレイアウト条件検知手段と、
このレイアウト条件検知手段により前記記事が前記レイアウト条件を満たさないことが検知されたとき、満たすように前記記事を変形し位置を移動させる記事変形移動手段と、
この記事変形移動手段により変形移動させられた情報を付加情報として生成する付加情報生成手段と、
前記記事移動変形手段により変形移動された記事からなる新聞に前記付加情報を付加して前記モバイル電子機器に送信する送信手段と、
を有することを特徴とする新聞紙面制作装置。
【請求項２】
前記レイアウト条件は、前記モバイル電子機器の表示面における文字数及び文字フォントの大きさを含むことを特徴する請求項１記載の新聞紙面制作装置。
【請求項３】
通常の新聞を構成する記事が、モバイル電子機器の表示に関する条件であるレイアウト条件を満たすかどうかを検知するレイアウト条件検知手段と、
このレイアウト条件検知手段により前記記事が前記レイアウト条件を満たさないことが検知されたとき、前記レイアウト条件を満たすように前記記事の位置を移動し又は形状を変形し、特化レイアウト新聞を構成する記事特化手段と、
この記事特化手段により特化された記事をＰＤＦ化するＰＤＦ化手段と、
この記事特化手段により特化された前記特化記事の位置、形状の情報を付加する制御情報として得る制御情報付加手段と、
この制御情報付加手段により得られた制御情報を前記ＰＤＦ化手段によりＰＤＦ化された特化記事に付加して送信する送信手段と、
を有することを特徴する新聞紙面制作装置。
【請求項４】
新聞記事の素材を収集して記事を作成し、通常の新聞の紙面を構成する紙面構成手段を更に有し、
この紙面構成手段により構成された通常の新聞における記事と、前記特化レイアウト新聞の内容の同じ記事の対応関係を検知し、前記制御情報付加手段においてこの対応関係も前記制御情報として得ることを特徴とする請求項３記載の新聞紙面制作装置。
【請求項５】
新聞記事の素材を収集して記事を作成し、紙面を構成する紙面構成ステップと、
この紙面構成ステップにより構成された新聞の記事が、モバイル電子機器の表示に関するレイアウト条件を満たすか否かを検知するレイアウト条件検知ステップと、
このレイアウト条件検知ステップにより前記記事が前記レイアウト条件を満たさないこが検知されたとき、満たすように前記記事を変形し位置を移動させる記事変形移動ステップと、
この記事変形移動ステップにより変形移動させられた情報を付加情報として生成する付加情報生成ステップと、
前記記事移動変形ステップにより変形移動された記事からなる新聞に前記付加情報を付加して前記モバイル電子機器に送信する送信ステップと、
を有することを特徴とする新聞紙面制作方法。
【発明の詳細な説明】
【技術分野】
【０００１】
本発明の実施形態は、電子新聞の紙面を自動的に制作する新聞紙面制作装置及び新聞紙面制作方法に関する。
【背景技術】
【０００２】
最近は、電子新聞を表示面に表示するモバイル電子装置などの小型の表示装置が知られている。これらの表示装置では、電子新聞をダウンロードしてどこででも読むことができて便利である。
【０００３】
しかし、単に電子化した新聞を表示装置により表示する場合、通常の新聞は広げて全体を見渡せることを前提として記事を配置しているので、特に表示画面が小さい装置では、各記事を読むとき、限られた表示画面内で画像を移動させて読まなければならず、非常に読みにくい。
【先行技術文献】
【特許文献】
【０００４】
【特許文献１】特開２００８−２１０１３７号公報
【発明の概要】
【発明が解決しようとする課題】
【０００５】
本発明は、表示画面が限られているモバイル電子機器でも、電子新聞の記事を読みやすいように電子新聞の紙面を変えて制作する新聞紙面制作装置及び新聞紙面制作方法を提供する。
【課題を解決するための手段】
【０００６】
実施形態によれば、新聞記事の素材を収集して記事を作成し、紙面を構成する紙面構成手段と、この紙面構成手段により構成された新聞の記事が、モバイル電子機器の表示に関するレイアウト条件を満たすか否かを検知するレイアウト条件検知手段と、このレイアウト条件検知手段により前記記事が前記レイアウト条件を満たさないことが検知されたとき、満たすように前記記事を変形し位置を移動させる記事変形移動手段と、この記事変形移動手段により変形移動させられた情報を付加情報として生成する付加情報生成手段と、前記記事移動変形手段により変形移動された記事からなる新聞に前記付加情報を付加して前記モバイル電子機器に送信する送信手段とを有することを特徴とする新聞紙面制作装置を提供する。
【図面の簡単な説明】
【０００７】
【図１】一実施形態の新聞紙面制作装置の構成を示す図である。
【図２】図１に示す装置の変更制御部の構成例を示す図である。
【図３】一実施形態の動作を説明するためのフローチャートを示す図である。
【図４】通常新聞における記事の例を説明するための図である。
【図５】受信端末の表示面上に表示する特化レイアウト新聞における記事の例を示す図である。
【発明を実施するための形態】
【０００８】
以下、実施形態について図面を用いて説明する。図１に一実施形態の新聞紙面制作装置の構成を示す。この新聞紙面制作装置１０は、通常の新聞を作成し、この通常新聞に対応して、受信側の端末の表示に合わせた特化レイアウト新聞を作成し、両方の新聞をＰＤＦ化して送信する一実施形態の装置である。
【０００９】
新聞紙面制作装置１０は、各ニュース記事を集める素材収集部１１と、この素材収集部１１に集まった記事を組み立てて通常の新聞を作成するために記事の位置を決定する記事位置決定部１２と、素材収集部１１に集まった記事を受側の端末装置で見やすいように各記事の位置を仮に決める記事仮配置部１３と、この制作装置から送られるデータを受信端末で受信し表示する条件を設定する受側条件設定部１４と、この受側条件設定部１４から入力された条件に基づき、記事仮配置部１３で仮に決められた記事位置（レイアウト）を変更する変更制御部１５と、変更制御部１５で変更を指示し調整したレイアウトに決定するレイアウト決定部１６と、このレイアウト決定部１６で決定したレイアウトにしたがって各記事をＰＤＦ化するとともに記事位置決定部１２で決定された通常新聞の紙面を構成するように記事をＰＤＦ化するＰＤＦ化部１７と、受側条件設定部１４からの条件を受側の端末に送るデータとして制御情報を付加する制御情報付加部１８と、ＰＤＦ化部１７から出力されるＰＤＦデータと制御情報付加部１８から出力される制御情報を受信端末（モバイル電子機器）に送信する送信部１９とを有する。
【００１０】
このシステム（新聞紙面制作装置）では、素材収集部１１で収集された記事が、記事位置決定部１２及びＰＤＦ化部１７により通常新聞のレイアウトでＰＤＦ化される一方、記事仮配置部１３及びレイアウト決定部１６で受側端末に最適化された表示形式に変換後にＰＤＦ化部１７によりＰＤＦ化される。これらのＰＤＦ化されたレイアウトの異なる新聞記事がＰＤＦ化部１７から送信部１９に送られて送信される。後者の特化レイアウト新聞記事には、制御情報付加部１８において表示のための制御情報が付加されて送信される。
【００１１】
変更制御部１５は、記事位置決定部１２から入力される通常新聞の記事位置と、記事仮配置部１３から入力される、仮に決められた記事の位置を認識し、受側条件設定部１４からの条件を参照して、記事位置の変更が必要かどうかを判定する。
【００１２】
変更制御部１５の構成の一例を図２に示す。この変更制御部１５は、受側条件設定部１４から入力された条件をレイアウト条件に変換するレイアウト条件変換部２１と、通常新聞における各記事の位置を認識する記事位置認識部２２と、記事の仮配置の位置を認識する仮位置認識部２３と、記事位置認識部２２から得られた通常新聞の記事と、記事仮配置部１３から得られた特化レイアウト新聞における記事の対応関係を記憶する対応記事記憶部２４と、仮位置認識部２３から出力される各記事の位置をレイアウト条件変換部２１から出力される条件により記事位置を変更する必要があるか否かを決定する記事位置変更決定部２５とを有する。
【００１３】
記事位置決定部１２は、素材収集部１１により得られる記事の量、カテゴリなどを考慮して、図４に示すような通常新聞を構成するために各記事例えば記事４１ａの位置を決定する。一方、記事仮配置部１３と変更制御部１５は、受側条件設定部１４から入力される条件を踏まえて、記事の仮配置を繰り返し、これらの条件を満たすように例えば図５に示す特化レイアウト新聞を構成するために記事５１ａの配置を決める。実際には、レイアウト決定部１６において特化レイアウト新聞の構成が最終的に決定される。
【００１４】
次にこの実施形態の動作を図３に示すフローチャートにしたがって説明する。
【００１５】
まず、ステップＳ３０１で図１に示す素材収集部１１において新聞記事となる素材を収集する。次にステップＳ３０２では、記事位置決定部１２において、通常新聞を構成するために記事位置を決定する。そして、その記事位置が変更制御部１５に送られ、変更制御部１５内の記事位置認識部２２でその記事の位置が認識される。
【００１６】
次のステップＳ３０３では、記事仮配置部１３において、特化レイアウト新聞における各記事を仮配置し、変更制御部１５の仮位置認識部２３で、それらの各記事の位置を認識する。ステップＳ３０４では、通常新聞における記事と、特化レイアウト新聞において対応する当該記事の位置が、対応記事記憶部２４に記憶される。対応記事記憶部２４に記憶された記事の対応関係は送信前に制御情報付加部１８に送られる。
【００１７】
次のステップＳ３０５で受信側の端末の条件が受側条件設定部１４に入力され、ステップＳ３０６で、変更制御部１５のレイアウト条件変換部２１において、受側端末の条件がレイアウト条件に変換され、記事位置変更決定部２５に入力される。
【００１８】
ステップＳ３０７では、記事位置変更決定部２５において、仮位置認識部２３で仮に決められた記事の位置をレイアウト条件と比較する。次のステップＳ３０８では、仮に決められた記事位置が、レイアウト条件変換部２１から入力されたレイアウト条件を満たすかどうか判定される。
【００１９】
このレイアウト条件は例えば、表示画面上の横並びの文字数や文字フォントの大きさであり、これらの文字数と文字フォントの大きさから幅が決められこの仮に決められた記事の幅よりも元の記事の大きさが大きいときには、ステップＳ３０９で記事仮配置部１３において、記事位置を変更する。すなわち、例えばその記事の幅を狭めてあるいは、その条件を満たすような位置に記事を移動させる。具体的には、図４に示す記事４１ａの幅４２が、図５に示す記事５１ａの幅５２よりも大きいときには、記事５１ａに示すように通常新聞に於ける記事４１ａを記事５１ａに示すように変形する。
【００２０】
さらに、止むを得ず記事を分割して配置させるときには、例えば分割する直前の箇所に続きがどの頁に載っているかをカッコ書きで記載する。このように記事位置の変更には記事自体の変形や、分割される場合を含む。また、例えば、記事４１ａが縦書きである場合でも記事５１ａを横書きの記事にすることもある。上記のようにして作成された記事５１ａにはその記事内容を特定する記事名が付される。この記事名は記事４１ａの見出しと同じであってもよいし別の見出しを付けてもよい。これらの情報は制御情報として制御情報付加部１８にて作成される。
【００２１】
ステップＳ３０９で記事位置の変更がなされたら、再び図２に示す仮位置認識部２３で当該記事の仮位置を認識し、ステップＳ３０７で記事位置変更決定部２５においてその仮位置とレイアウト条件が比較される。そして、ステップＳ３０８で再び記事位置がレイアウト条件を満たすかどうか判定され、まだ、レイアウト条件を満たしていないときには、ステップＳ３０９で記事位置が再び変更された後、ステップＳ３０７で、変更された記事位置とレイアウト条件が比較される。
【００２２】
ステップＳ３０８で、記事位置がレイアウト条件を満たすことが検知されたら、ステップＳ３１１で、そのレイアウトがレイアウト決定部１６に送られる。実際には、各記事が１つ１つ決定されていき最終的にすべての記事の位置が決ったとき、そのレイアウトがレイアウト決定部１６に送られる。
【００２３】
このようにして、特化レイアウト新聞の各記事の位置が決まったらステップＳ３１２で、ＰＤＦ化部１７において、特化レイアウト新聞と、記事位置決定部１２で記事の位置が決定された通常新聞のＰＤＦ化がなされる。このＰＤＦ化された新聞の情報は送信部１９に送られる。
【００２４】
ステップＳ３１３では、受側条件設定部１４で入力された条件および、変更制御部１５の対応記事記憶部２４において記憶されている通常新聞と特化レイアウト新聞の記事の対応関係や上述の縦書き／横書き、記事の形状等の情報が制御情報として、ＰＤＦ化された新聞の情報に付加されて、ステップＳ３１４で送信部１９から、受信端末に送信される。
【００２５】
受信端末では、上述のようにして作成されたＰＤＦ化された新聞の情報を受信し、記事が表示される。更に受信端末で記事の見出しを列挙表示させ、それらの見出しの１つをタッチして特定することによりその記事を表示させることも可能である。
【００２６】
以上述べたようにこの実施形態によれば、通常新聞の各記事をモバイル電子機器の表示画面に合わせて表示することが可能な新聞紙面制作装置が得られる。
【００２７】
ここで、モバイル電子機器とは、スマートフォンなど表示画面を有し持ち運び可能な小型の電子機器をいい、通信出来るかどうかを問わない。本発明を適用するこの電子機器は必ずしも小型である必要もなく、種々の電子新聞表示装置に適用できる。
【００２８】
上記実施形態では、通常の新聞をＰＤＦ化し、表示画面に最適化した特化レイアウト新聞の記事もＰＤＦ化した場合について説明した。しかし、本発明はＰＤＦ化する場合に限られず、一般的には可読可能に電子化されればよい。
【００２９】
上記実施形態では、電子新聞表示装置について説明したが、これを方法によりあるいは、プログラムにより実現することも可能である。
【００３０】
上記実施形態では、素材収集部の通常新聞の記事が入力されることを例として説明した。しかし、このような文章、写真などの静的な記事だけでなく、動画などの記事が含まれていてもよい。この場合には、モバイル端末に表示される記事が通常新聞に常に対応しているとは限らない。
【００３１】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１０・・・・新聞紙面制作装置
１１・・・・素材収集部
１２・・・・記事位置決定部
１３・・・・記事仮配置部
１４・・・・受側条件設定部
１５・・・・変更制御部
１６・・・・レイアウト決定部
１７・・・・ＰＤＦ化部
１８・・・・制御情報付加部
１９・・・・送信部
２１・・・・レイアウト条件変換部
２２・・・・記事位置認識部
２３・・・・仮位置認識部
２４・・・・対応記事記憶部
２５・・・・記事位置変更決定部
【図１】
2013196260.tif 000003
【図２】
2013196260.tif 000004
【図３】
2013196260.tif 000005
【図４】
2013196260.tif 000006
【図５】
2013196260.tif 000007